(57)【要約】【課題】商品の取り間違いが生じず、また販売動作に関係しない場合の商品の抜き取りを防止できる什器を提供する。【解決手段】複数種類の商品をそれぞれ収納できるコラム８を有する商品収納部と、収納された複数種類の商品をそれぞれ陳列した商品陳列棚を有する商品陳列部とを備える什器１において、商品陳列部３には陳列された複数種類の商品に対応してそれぞれ選択ボタンを設け、商品収納部４の各コラム８の取り出し側前方に、それぞれ選択ボタンにより該コラム８の商品が選択されたときに開動作する開閉可能な扉１２を設ける。【選択図】図５
2009095362.tif 000002
【特許請求の範囲】
【請求項１】
複数種類の商品をそれぞれ収納できる複数のコラムを有する商品収納部と、収納された複数種類の商品をそれぞれ陳列した商品陳列棚を有する商品陳列部とを備える什器において、
前記商品陳列部には前記商品陳列棚に陳列された複数種類の商品に対応してそれぞれ選択ボタンが設けられ、前記商品収納部の各コラムの取り出し側前方に、それぞれ前記選択ボタンにより該コラムの商品が選択されたときに開動作する開閉可能な扉が設けられてなることを特徴とする什器。
【請求項２】
前記各コラムの扉には、それぞれ通常時には閉状態を保持するストッパー部が設けられ、前記選択ボタンにより該コラムの商品が選択されたときに、前記ストッパー部によるストッパー作用が解除され、扉が開動作するように設けられてなる請求項１に記載の什器。
【請求項３】
前記商品収納部の各コラムの取り出し側前方の扉には、開動作に連動して最前部の商品を前に倒す手段が設けられてなる請求項１又は２に記載の什器。
【発明の詳細な説明】
【技術分野】
【０００１】
本発明は、スーパーマーケットやコンビニエンスストア等の店舗内に設置されるタバコ等を販売するための什器に関するものである。
【背景技術】
【０００２】
一般に、スーパーマーケットやコンビニエンスストア等において、例えばタバコ等の商品については、年齢制限の対応等のために、レジカウンターの近傍や販売員側の背後に、タバコ等の商品を販売するための什器を設置しておき、購入者の注文に応じて販売員が商品を取り出して販売処理する方式が多くなっている。
【０００３】
前記の販売のための什器として、商品の取り出し毎に商品を前に寄せて補充するようにした形式の什器が知られている（例えば、特許文献１及び特許文献２）
【特許文献１】特開昭５９−２１８１１３号公報
【特許文献２】実用新案登録第３１２９１５４号公報
【発明の開示】
【発明が解決しようとする課題】
【０００４】
しかしながら、前記の販売方式では、タバコの銘柄が多数あることから、販売員がこれらの商品を識別して該当する商品を探し出すのが難しく、取り出し作業が煩わしい上に、口頭で注文することもあって、販売員が商品を取り違える等の間違いが発生するという問題があった。
【０００５】
そこで、本発明者は、購入者が前面の商品の選択ボタンを押し、レジカウンター内の販売員が選択された商品を取出して販売し精算処理する販売システムを検討している。
【０００６】
この場合、前記の特許文献１や特許文献２の商品を前に寄せて補充する形式の什器を設置するだけでは、該当商品の取り間違いが生じ、また、販売動作に関係しない場合の商品の抜き取りを防止できない。
【０００７】
本発明は、前記の問題をも解決するタバコ等の販売用の什器を提供するものである。
【課題を解決するための手段】
【０００８】
本発明は上記の課題を解決する什器であり、複数種類の商品をそれぞれ収納できる複数のコラムを有する商品収納部と、収納された複数種類の商品をそれぞれ陳列した商品陳列棚を有する商品陳列部とを備える什器において、前記商品陳列部には前記商品陳列棚に陳列された複数種類の商品に対応してそれぞれ選択ボタンが設けられ、前記商品収納部の各コラムの取り出し側前方に、それぞれ前記選択ボタンにより該コラムの商品が選択されたときに開動作する開閉可能な扉が設けられてなることを特徴とするものである。
【０００９】
前記の什器において、前記各コラムの扉には、それぞれ通常時には閉状態を保持するストッパー部が設けられ、前記選択ボタンにより該コラムの商品が選択されたときに、前記ストッパー部によるストッパー作用が解除され、扉が開動作するように設けられてなるものとすることができる。
【００１０】
また前記各発明の什器において、前記商品収納部の各コラムの取り出し側前方の扉には、開動作に連動して最前部の商品を前に倒す手段が設けられてなるものとすることができる。
【発明の効果】
【００１１】
本発明の什器によれば、購入者が商品陳列部における選択ボタンを操作し商品を選択した場合に、該商品が収納されたコラムの扉のみが開動作することにより、販売員は扉が開いた商品しか取り出すことができないため、商品の取り間違いを防止でき、希望する商品を正確に取り出し販売することができる。また、通常時は、扉が閉状態に保持されているために、販売時以外の商品の抜き取りを防止できる。
【発明を実施するための最良の形態】
【００１２】
次に本発明の実施の形態を図面に示す実施例に基づいて説明する。
【００１３】
図１及び図２は本発明の１実施形態の什器を使用した商品販売システム全体の実施例を示す前方からと後方からの概略斜視図である。
【００１４】
この実施形態の什器１は、販売対象の商品２がタバコであり、レジスター設備２０と一体的に組み合わせ構成されて設置されるもので、商品２を陳列するめたの商品陳列部３と商品２を収納するための商品収納部４とを有している。
【００１５】
前記商品陳列部３は、図１及び図２に示すように、スーパーマーケットやコンビニエンスストア等の店舗内部において、レジカウンター２１に並列して、前記商品陳列部３の前面が購入者が通る通路側に面し、かつ前記商品収納部４がレジカウンター２１内方の販売員側に面するように配置されている。
【００１６】
前記レジカウンター２１の上面には、商品２のタバコその他の販売商品のバーコードを読み取ったり、その他の情報を有力するための入力部２２が設置されている。このレジカウンター２１の端部には、お金を収納したり、その他の計算等を行うレジスター本体部２３が設けられている。
【００１７】
前記商品陳列部３は、図３に示すように、前面部に２列の陳列棚５が設けられ、各陳列棚５に、それぞれ商品２の表面を印刷したシート等からなる商品サンプル６が並列配置されている。各商品サンプル６のやや下方には、購入者が該商品２を購入したいときに意志表示を行うための選択ボタン７がそれぞれ設けられている。
【００１８】
前記商品収納部４は、販売しようとする商品の種類に応じた複数のコラム８を有し、図３に示すように、正面より見て横方向に６つのコラム８が並列して、高さ方向に５段にし配置されている。なお、図４では説明を簡単にするために、５つのコラム８を横方向に並列して図示している。
【００１９】
前記各段の各コラム８は、それぞれ棚板を兼ねる台部９上に載置されて、前記商品サンプル６及び選択ボタン７に対応する商品２を、横向きに立てた状態で前後方向に複数個並列して収納できるように設けられている。前記各コラム８の台部９の前端部には、商品２の下部を支持する前支持部９ａが設けられ、また後方側には、前記商品２を後方から支持してかつ前送りするための前後方向に移動可能な押出板１０が、該押出板１０の後部に備える巻きバネ１１により常に前方に付勢されて設けられている。これにより、収納した商品２を前記前支持部９ａと押出板１０との間に保持するとともに、最前部の商品２を抜き取ったときに、残余の商品２を前送りできるようになっている。なお、前記各コラム８への商品２の収納は、前記押出板１０を巻きバネ１１の付勢力に抗して後方に引いて行う。
【００２０】
そして、前記各コラム８の取り出し側のやや前方には、それぞれ開閉可能な扉１２が設けられている。特に、前記各コラム８の扉１２は、通常時は閉状態に保持されるととともに、前記商品陳列部３の選択ボタン７により該コラム８の商品２が選択されたときに、開動作するように設けられている。
【００２１】
前記各コラム８の各扉１２は、図５〜図８に示すように、それぞれ各コラム８の取り出し側のやや前方下部に水平の軸部１３により前方へ傾動可能に軸支されており、該扉１２が起立している閉状態から前方へ傾動することにより開状態になって、該コラム８内の商品２を取り出せるようになっている。
【００２２】
前記各扉１２を、通常時は閉状態に保持し、前記選択ボタン７により該扉１２のコラム８の商品が選択されたときに開動作させる手段として、図示する実施例の場合は、次のように構成を備えている。
【００２３】
前記各扉１２の前記軸部１３より下方側の端部片１２ａが前記台部９より下方に突出し、該端部片１２ａに連結されたバネ手段１４によりあるいは扉自体の自重により、該扉１２が開動作する方向、つまりは前記傾動方向に付勢される一方、前記端部片１２ａが、ソレノイド１５によって前記端部片１２ａと係合する位置に進出及び該位置から退避可能に設けられた係止部１６に係止せしめられることにより、ストッパー部として作用して、該扉１２が閉状態に保持されており（図５）、前記選択ボタン７により該扉１２のコラム８の商品が選択されたときに、前記ソレノイド１５の作動で前記係止部１６が退避することにより、ストッパー作用が解除されて、前記扉１２が軸部１３を中心として開動作、つまり前方へ傾動し開状態になるように構成されている（図６〜図８）。
【００２４】
前記の各選択ボタン７と、前記各コラム８における扉１２を開閉するための前記各ソレノイド１５とは、選択ボタン７の操作による商品選択に応じて、該選択ボタンに対応する商品を収納したコラム８におけるソレノイド１５が作動するように、図示しない制御部を介して電気的に制御される。
【００２５】
前記各扉１２の端部片１２ａには、該扉１３の開動作時にこれに連動して該扉１２を備えるコラム８内の最前部の商品であるタバコ２を押し上げて前記前支持部９ａを超えて前に倒す手段である爪片１２ｂが一体に設けられている。図の場合、前記のように前に倒されたタバコ２が扉１２の上に載るようになっている。
【００２６】
図中の符号１７は、各コラム８の最前部の商品収納位置の底部に設けた商品検出スイッチであり、例えば、商品の取り出し毎に前送りされる商品を該商品検出スイッチ１７により検出して、この検出信号を制御部（図示せず）で処理することにより、各コラム８内の商品の取り出し回数を管理できるように設けられる。
【００２７】
図中の符号１８は、扉開閉検出スイッチであり、前記扉１２の端部片１２ａとの当接状態の有無により扉１２の開閉を検出して、扉１２の開動作時の閉め忘れを回避できるように設けられている。例えば、前記扉開閉検出スイッチ１８の信号により、扉１２が開状態のときは該コラム毎に設けたランプ（図示せず）を点灯させたり、ブザーを鳴らしたり、あるいは回転灯を点灯させる等の手段を設けることにより、閉め忘れを防止でき、防犯性を高めることができる。
【００２８】
次に、前記什器１を、図１及び図２に示すように、スーパーマーケットやコンビニエンスストア等の店舗内部のレジカウンター２１に並列して設置使用する場合における販売状態について説明する。
【００２９】
商品収納部４の各コラム８には、商品陳列部３の商品サンプル６及び選択ボタン７  に対応した商品２、例えばタバコが収納されている。
【００３０】
先ず、レジカウンター２１の前を通る購入者がタバコを購入しようとする場合、前記什器１の前で多数の商品サンプル６の中から、購入しようとするタバコの商品サンプル６を選択し、該商品サンプル６に対応する選択ボタン７を押圧操作する。すると、商品収納部４における多数のコラム８のうち、前記のように選択されたタバコに対応する商品２のコラム８の扉１２が開動作する。
【００３１】
例えば、図のように、前記扉１２が、そのて端部片１２ａが係止部１６に係止することにより閉状態に保持されている場合（図５）、前記選択ボタン７により該扉１２のコラム８の商品が選択されたときに、ソレノイド１５の作動により前記係止部１６が退避することにより前記端部片１２ａの係止、すなわちストッパー作用が解除されて、前記扉１２の自重あるいは前記端部片１２ａに連結されたバネ手段１４により、該扉１２が軸部１３を中心に前方へ傾動して開く（図６〜図８）。
【００３２】
そこで、販売員は前記扉１２の開いたコラム８の商品２のタバコを取り出し、そのまま他の購入商品と同様にバーコードにより処理し、他の購入商品とともに購入者から商品代金を受けとり精算することで販売を完了する。また、商品２を取り出した後の前記コラム８の蓋１２は手動により閉じておく。
【００３３】
このようにすることで、販売員は、購入者が希望した商品を間違いなく取り出すことができる。また、購入者が選択ボタン７を操作しない限りは、各コラム８の扉１２を閉状態に保持できるため、販売に関係しない状態での商品の抜き取りを防止でき、防犯性も高めることができる。
【００３４】
なお、上記実施例では、本発明の什器１を構成する商品陳列部３と商品収納部４とを別体に設けた場合を示したが、本発明は、前記商品陳列部３と商品収納部４とを一体に設けて実施することができる。
【００３５】
また、タバコを複数個購入する場合、すなわち複数個をまとめ買いする場合に対応できるように、購入個数ボタンを商品陳列部３に設け、その個数に対応した数字を商品収納部４に表示することもできる。
【００３６】
さらに、上記の実施例では、販売対象の商品をタバコとして説明したが、本発明はこれに限るものではなく、酒類、各種飲料類、電池等のその他の各種商品の販売にも適用できることは言うまでもない。
【図面の簡単な説明】
【００３７】
【図１】本発明の１実施形態の什器を使用した商品販売システム全体の実施例を示す前方からの概略斜視図である。
【図２】同上の後方からの概略斜視図である。
【図３】同上の什器の商品陳列部と商品収納部の各正面図である。
【図４】同上のコラムの略示斜視図である。
【図５】同上のコラムの略示縦断面図である。
【図６】同上のコラムの開動作状態の略示断面図である。
【図７】同上のコラムの開動作状態の略示断面図である。
【図８】同上のコラムの開動作状態の略示断面図である。
【符号の説明】
【００３８】
１…什器、２…商品、３…商品陳列部、４…商品収納部、５…陳列棚、６…商品サンプル、７…選択ボタン、８…コラム、９…台部、１０…押出板、１１…巻きバネ、１２…扉、１２ａ…端部片、１２ｂ…爪片、１３…軸部、１４…バネ手段、１５…ソレノイド、１６…係止部、１７…商品検出スイッチ、１８…扉開閉検出スイッチ、２０…レジスター設備、２１…レジカウンター、２２…入力部、２３…レジスター本体部。
【図１】
2009095362.tif 000003
【図２】
2009095362.tif 000004
【図３】
2009095362.tif 000005
【図４】
2009095362.tif 000006
【図５】
2009095362.tif 000007
【図６】
2009095362.tif 000008
【図７】
2009095362.tif 000009
【図８】
2009095362.tif 000010